(57)【特許請求の範囲】
【請求項１】
内容液を収容する減容変形自在な内層体と、口部周壁を貫通する通気口を有し該内層体との相互間に該通気口に通じる内部空間を形成する外層体と、該外層体への押圧に伴い該内層体の内容液及び該内部空間の空気を通過させて内容液を発泡させる発泡体を有し、該口部周壁に装着される注出キャップとを備える二重容器であって、
前記注出キャップは、
前記内層体の上部開口を覆うとともに該内層体に通じる注出筒部を有する隔壁と、
前記通気口を取り囲んで前記口部周壁に保持されるとともにその内側に該隔壁を収めるベースと、
該隔壁及び該ベースとの間で該通気口につながる空気路を形成するとともに、前記発泡体に対して該空気路からの空気を導入する空気導入口と、該発泡体に対して該注出筒部からの内容液を導入する液導入口とを有し、更に該液導入口を取り囲んで該注出筒部の外周面に摺動可能に当接し該注出筒部の軸線に沿う移動を可能とする摺動筒部を有するノズルヘッドと、
該隔壁に着座及び離反することで該空気路を閉鎖及び開放する弁体を有する空気用逆止弁とを備え、
該ノズルヘッドは、該隔壁に近づく向きへの移動によって該摺動筒部と該隔壁とで該弁体を挟持して該発泡体への空気の流入を遮断する一方、該隔壁から離れる向きへの移動によって該摺動筒部を該弁体から離隔させることで該発泡体への空気の流入を可能とする二重容器。
【請求項２】
前記ノズルヘッドは、前記ベースに設けた縦溝又は縦リブに連係して前記注出筒部の軸線に沿う移動にあたっての該ベースに対する該ノズルヘッドの回転を防止する縦リブ又は縦溝を有する請求項１に記載の二重容器。
【請求項３】
前記ノズルヘッドは、前記ベースに設けた雄ねじ部に連係し該ノズルヘッドを回転させることで該ノズルヘッドを前記注出筒部の軸線に沿って移動させる雌ねじ部を有する請求項１に記載の二重容器。
【発明の詳細な説明】
【技術分野】
【０００１】
本発明は、内容液を収容する減容変形自在な内層体と、内層体を内側に収めて容器の外殻を形成する外層体とを備え、内容液の注出に伴って内層体のみが減容する二重容器に関するものであり、特に、注出する内容液の性状を切り替えることができる技術に関する。
【背景技術】
【０００２】
化粧水などの化粧料や、シャンプーやリンス或いは液体石鹸、また食品調味料や薬品などを収納する容器としては、内容液を収容する減容変形自在な内層体と、内層体を内側に収めて容器の外殻を形成する外層体とを備え、外層体の胴部を押圧することで内容液を注出する一方、押圧解除後は胴部が復元し、内層体と外層体との間に外気を導入して内層体を減容できるようにした二重容器（デラミ容器、積層剥離容器とも言う）が知られている。例えば特許文献１には、内容液を空気と混合させて泡状にして注出することができるスクイズタイプの二重容器が示されている。
【先行技術文献】
【特許文献】
【０００３】
【特許文献１】特開２００９−１４９３２７号公報
【発明の概要】
【発明が解決しようとする課題】
【０００４】
ところで、使用用途によっては、内容液を泡状にすることなく直接注出させた方が好ましい場合がある。このため、注出させる内容液の性状を簡便な操作で容易に切り替えることができる、新たな二重容器が求められている。
【０００５】
本発明は、このような問題点を解決することを課題とするものであり、内容液を空気と混合させることなく直接注出することができる状態と、内容液を空気と混合させて泡状にして注出することができる状態とを簡単に切り替えることができる、新たな二重容器を提案することを目的とする。
【課題を解決するための手段】
【０００６】
本発明は、内容液を収容する減容変形自在な内層体と、口部周壁を貫通する通気口を有し該内層体との相互間に該通気口に通じる内部空間を形成する外層体と、該外層体への押圧に伴い該内層体の内容液及び該内部空間の空気を通過させて内容液を発泡させる発泡体を有し、該口部周壁に装着される注出キャップとを備える二重容器であって、
前記注出キャップは、
前記内層体の上部開口を覆うとともに該内層体に通じる注出筒部を有する隔壁と、
前記通気口を取り囲んで前記口部周壁に保持されるとともにその内側に該隔壁を収めるベースと、
該隔壁及び該ベースとの間で該通気口につながる空気路を形成するとともに、前記発泡体に対して該空気路からの空気を導入する空気導入口と、該発泡体に対して該注出筒部からの内容液を導入する液導入口とを有し、更に該液導入口を取り囲んで該注出筒部の外周面に摺動可能に当接し該注出筒部の軸線に沿う移動を可能とする摺動筒部を有するノズルヘッドと、
該隔壁に着座及び離反することで該空気路を閉鎖及び開放する弁体を有する空気用逆止弁とを備え、
該ノズルヘッドは、該隔壁に近づく向きへの移動によって該摺動筒部と該隔壁とで該弁体を挟持して該発泡体への空気の流入を遮断する一方、該隔壁から離れる向きへの移動によって該摺動筒部を該弁体から離隔させることで該発泡体への空気の流入を可能とする二重容器である。
【０００７】
前記ノズルヘッドは、前記ベースに設けた縦溝又は縦リブに連係して前記注出筒部の軸線に沿う移動にあたっての該ベースに対する該ノズルヘッドの回転を防止する縦リブ又は縦溝を有することが好ましい。
【０００８】
前記ノズルヘッドは、前記ベースに設けた雄ねじ部に連係し該ノズルヘッドを回転させることで該ノズルヘッドを前記注出筒部の軸線に沿って移動させる雌ねじ部を有することが好ましい。
【発明の効果】
【０００９】
本発明によれば、ノズルヘッドを隔壁に近づく向きへ移動させることによって、摺動筒部と隔壁とで弁体を挟持して発泡体への空気の流入を遮断することが可能であるため、この状態で外層体を押圧すれば、内容液のみを直接注出することができる。また、ノズルヘッドを隔壁から離れる向きへ移動させることによって、摺動筒部が弁体から離隔して発泡体への空気の流入が可能となるため、この状態で外層体を押圧すれば、内容液を空気と混合させて泡状にして注出することができる。すなわち、ノズルヘッドを上下方向に移動させるだけの簡単な操作で注出する内容液の性状を切り替えることができるため、使い勝手が良くなる。
【図面の簡単な説明】
【００１０】
【図１】本発明に従う二重容器の一実施形態を示す、内容液を直接注出する状態での断面図である。
【図２】図１に示す状態で内容液を注出させている状況を説明する図である。
【図３】ノズルに残った内容液が引き戻される状況を説明する図である。
【図４】図１の状態から、内容液を泡状にして注出する状態へ切り替えた図である。
【図５】弁体が隔壁から離反して内部空間の空気が空気路を流れる状況を説明する図である。
【図６】本発明に従う二重容器の他の実施形態を示す、内容液を直接注出する状態での断面図である。
【図７】図６の状態から、内容液を泡状にして注出する状態へ切り替えた図である。
【発明を実施するための形態】
【００１１】
以下、図面を参照して、本発明をより具体的に説明する。なお、本明細書、特許請求の範囲、及び要約書において、「上」とは、外層体の口部周壁に対してノズルヘッドが位置する側であり、「下」とは、その反対側である。
【００１２】
図１は、本発明に従う二重容器の一実施形態を示す。本実施形態の二重容器は、内容液を収容する内層体１と、内層体１を内側に収める外層体２と、外層体２に装着される注出キャップ３を備えている。注出キャップ３は、中栓４と、移動弁体５と、空気用逆止弁６と、ベース７と、外気導入用逆止弁８とを備え、更にノズルヘッド９を備えている。ノズルヘッド９は、ホルダー１０と、ノズルヘッド本体１１と、発泡体１２と、蓋体１３を備えている。
【００１３】
内層体１は、その内側に内容液を収容する収容空間Ｓと、この収容空間Ｓにつながる上部開口１ａを備えている。内層体１は薄肉の合成樹脂製であって、減容変形自在となっている。
【００１４】
外層体２は、円筒状の口部周壁２ａに、図示を省略する復元自在な可撓性を有する胴部、及び胴部の下端を閉鎖する底部を連結したものである。口部周壁２ａの外面には雄ねじ部２ｂを設けている。また、口部周壁２ａには、内層体１との間に形成される内部空間に空気を取り込むための貫通孔（通気口）２ｃを設けていて、更に、通気口２ｃを設けた外面には、上下方向に雄ねじ部２ｂを切り欠く溝部２ｄを設けている。
【００１５】
本実施形態において内層体１と外層体２は、相互に相溶性が低い合成樹脂を剥離可能に積層させたものである。図示は省略するが内層体１と外層体２との間には、上下方向に延在して内層体１と外層体２とを部分的に接合する、１本或いは複数本の接着帯を設けてもよい。なお、このような内層体１と外層体２は、内層体１の合成樹脂素材と外層体２の合成樹脂素材とが積層されたパリソンを、ブロー成形することによって得ることができるが、他にも、試験管状に形成したプリフォームを２軸延伸ブロー成形することや、外層体及び内層体を個別に形成し、その後、内層体を外層体内に装着するものでもよい。
【００１６】
中栓４は、内層体１の上部開口１ａを覆う板状の隔壁４ａを備えている。隔壁４ａには、上下を貫通させた円筒状の注出筒部４ｂが設けられている。注出筒部４ｂの下端部は、下方に向けて縮径する縮径部４ｃとなっている。また隔壁４ａの下面には、口部周壁２ａの内面との間で内層体１を挟む円筒状のシール壁４ｄが設けられている。隔壁４ａの上面には、上方を開放させた凹部４ｅが設けられていて、凹部４ｅを形成する隔壁４ａの面には、溝部４ｆが設けられている。更に、隔壁４ａの縁部には、上方へ向けて延在する縁壁４ｇが設けられていて、縁壁４ｇの根元には、貫通孔４ｈが設けられている。
【００１７】
注出筒部４ｂ内には、本実施形態では球状となる移動弁体５が設けられている。移動弁体５は、縮径部４ｃに着座することで、収容空間Ｓをシールすることができる。また、移動弁体５は、外層体２を起立姿勢から傾倒姿勢に姿勢変更することで縮径部４ｃから離反し、外層体２の胴部を押圧することによって注出筒部４ｂとの隙間を通して内容液を収容空間Ｓから注出することができる。
【００１８】
空気用逆止弁６は、円筒状となる環状壁６ａの内面に、円板状となる薄肉の弁体６ｂを一体に連結したものである。環状壁６ａは、凹部４ｅに嵌め込まれて保持される。なお、環状壁６ａと溝部４ｆとの間には、空気の通る通路が形成される。また弁体６ｂは、隔壁４ａの上面に対して気密に当接していて、通常は環状壁６ａと溝部４ｆとの間の通路を閉鎖しているが、この通路内を通る空気の圧力が高まると隔壁４ａから離反して通路を開放する。
【００１９】
ベース７は、通気口２ｃを取り囲み、その下端部を口部周壁２ａの外面に気密に当接させる円筒状の外周壁７ａを備えている。外周壁７ａの内面には、雄ねじ部２ｂに対応する雌ねじ部７ｂが設けられている。なお、ねじに代えてアンダーカットで保持するようにしてもよい。外周壁７ａの上部には、径方向内側に延在する天壁７ｃが設けられ、天壁７ｃの内縁部には、下方に向けて延在して環状壁６ａを抜け止め保持する円筒状の内部周壁７ｄが設けられている。
【００２０】
また天壁７ｃには、内部周壁７ｄの径方向外側において、外界へ通じる貫通孔（外気導入口）７ｅが設けられている。また、外気導入口７ｅの周囲には、下方に向けて延在する円筒状のガイド壁７ｆが設けられている。
【００２１】
外周壁７ａには、その上方において、上下方向に延在するとともに径方向内側へ凹ませた凹所７ｈと、凹所７ｈよりも延在長さが大きく且つ深さが深い縦溝７ｉが設けられている。
【００２２】
外気導入用逆止弁８は、本実施形態では球状となっていて、ガイド壁７ｆの内側に設けられている。外気導入用逆止弁８は、通常、天壁７ｃの下面から離反して縁壁４ｇによって抜け止め保持されていて、外層体２を傾倒姿勢に姿勢変更すると、天壁７ｃの下面に当接して外気導入口７ｅを閉鎖することができる。
【００２３】
ホルダー１０は、注出筒部４ｂの外面に摺動可能に当接して、ホルダー１０を注出筒部４ｂの軸線（本実施形態では口部周壁２ａの軸線Ｏに一致する）に沿って上下に移動することができる円筒状の摺動筒部１０ａを備えている。なお、ホルダー１０が下方に移動した際に弁体６ｂは、隔壁４ａの上面と摺動筒部１０ａの下面との間で挟持される。これによって、環状壁６ａと溝部４ｆとの間の通路を通る空気の流れが確実に遮断される。
【００２４】
ホルダー１０は、注出筒部４ｂの上方を覆って注出筒部４ｂの内側と注出筒部４ｂの上方とを区画する区画壁１０ｂを備えていて、摺動筒部１０ａは、区画壁１０ｂに一体に連結している。また摺動筒部１０ａの径方向内側には、区画壁１０ｂに一体に連結するとともに移動弁体５の抜け出しを防止する棒状のストッパー１０ｃが設けられている。
【００２５】
ホルダー１０の上面には、凹部１０ｄが設けられている。また摺動筒部１０ａの径方向内側には、区画壁１０ｂを貫通して凹部１０ｄに通じる貫通孔（液導入口）１０ｅが設けられている。
【００２６】
ノズルヘッド本体１１は、ベース７の上方を取り囲む周壁１１ａと、周壁１１ａの上部に一体に連結する上壁１１ｂを備えている。周壁１１ａの内面には、凹所７ｈに入り込んでノズルヘッド本体１１を抜け止め保持する突起１１ｃと、縦溝７ｉに入り込んでノズルヘッド本体１１を回り止め保持する縦リブ１１ｄが設けられている。
【００２７】
上壁１１ｂの下面には、下方に向けて延在する円筒状の筒状壁１１ｅが一体に設けられている。筒状壁１１ｅの外面には、例えば突起等が設けられていて、内部周壁７ｄの内面に摺動可能且つ気密に当接するように構成されている。また筒状壁１１ｅの内面には、ホルダー１０を嵌合保持する突起等が設けられているとともに、ホルダー１０の外面との間で空気が流れる通路を形成している。この通路は、空気導入口１１ｆを介して凹部１０ｄに通じている。すなわち、中栓４、ベース７、及びノズルヘッド本体１１の間には、内層体１と外層体２の間に形成される内部空間から通気口２ｃ、溝部２ｄ、貫通孔４ｈ、溝部４ｆ、及び離反した弁体６ｂと隔壁４ａとの間に形成される隙間を通り、ホルダー１０と筒状壁１１ｅとの相互間に形成される通路を経て空気導入口１１ｆに至る空気路Ｔが形成される。
【００２８】
更に上壁１１ｂには、外気導入口７ｅに通じる連通孔１１ｇが設けられている。
【００２９】
上壁１１ｂの上面には、上方へ向けて延在する円筒状の注出ノズル１１ｈが設けられている。注出ノズル１１ｈの頂部は、後述するヒンジが位置する側の高さが最も低く、指掛け部が位置する側の高さが最も高くなるように傾斜している。またこの頂部には、先端を径方向外側に湾曲させたリップが設けられている。更に注出ノズル１１ｈの内面には、突起１１ｉが設けられている。
【００３０】
発泡体１２は、例えばスポンジやフェルト、焼結多孔質体のような、内側に多数の間隙を有するものである。発泡体１２は、本実施形態では上部が小径で下部が大径の段付き円柱状であって、凹部１０ｄに上下動自在に配置され、突起１１ｉによって抜け止め保持される。なお、発泡体１２が上方に移動しても、空気導入口１１ｆは発泡体１２の周壁に対向するようにしている。これにより発泡体１２には、液導入口１０ｅからの内容液と空気導入口１１ｆからの空気とが、それぞれ個別に導入される。
【００３１】
蓋体１３は、板状の頂壁１３ａと、頂壁１３ａの縁部から下方に向けて延在する外周壁１３ｂとを備えている。また外周壁１３ｂには、ノズルヘッド本体１１の周壁１１ａに一体に連結するヒンジ１３ｃが設けられている。また、軸線Ｏを挟んでヒンジ１３ｃの反対側には、径方向外側に突出する指掛け部１３ｄが設けられている。
【００３２】
このような形態になる二重容器は、図１に示すようにノズルヘッド本体１１が下方に移動した状態において、弁体６ｂは、隔壁４ａの上面と摺動筒部１０ａの下面との間で挟持されるため、空気路Ｔは弁体６ｂによって常に遮断された状態になる。そしてこの状態において、図２に示すように外層体２を傾倒姿勢に姿勢変更すると、縮径部４ｃに着座していた移動弁体５が、ストッパー１０ｃに向けて移動する。また外気導入用逆止弁８は、天壁７ｃの下面に当接して外気導入口７ｅを閉鎖するので、内部空間と外界とは非連通になる。ここで外層体２の胴部を押圧すると、内部空間の空気を介して収容空間Ｓが加圧され、収容空間Ｓ内の内容液は、注出筒部４ｂと移動弁体５との隙間を通り、液導入口１０ｅを経て発泡体１２に至る。一方、内部空間の空気は、弁体６ｂが隔壁４ａの上面と摺動筒部１０ａの下面との間で挟持されるため、発泡体１２への流入が遮断される。このため、内容液のみを注出ノズル１１ｈから注出することができる。
【００３３】
内容液を注出した後は、外層体２の胴部への押圧を解除して外層体２を元の起立姿勢に姿勢変更する。ここで外気導入用逆止弁８は、その自重でもって天壁７ｃの下面から離反して、外気導入口７ｅを開放する。また外層体２は、それ自身の復元力により元の形状に戻ろうとし、内部空間は負圧状態となる。これにより外気は、連通孔１１ｇから外気導入口７ｅ、貫通孔４ｈ、溝部２ｄ、及び通気口２ｃを経て、内部空間に導入される。これにより内層体１が減容変形したまま、外層体２のみが復元する。
【００３４】
また、外層体２を元の起立姿勢に戻すことや、外層体２の胴部への押圧を解除することに伴う収容空間Ｓ内の減圧によって、図３に示すように移動弁体５は、縮径部４ｃに向けて移動する。また発泡体１２も液導入口１０ｅに向けて移動する。これにより、注出ノズル１１ｈの内側に残留する内容物を内側に引込むことができる（サックバック機能）ので、注出ノズル１１ｈからの液だれを防止することができる。なお、内部に存在する間隙のサイズが小さい発泡体１２を用いる場合は、内容物の引込みに際して内容物は発泡体１２の内部を通過しにくいものの、発泡体１２は上部が小径であって、凹部１０ｄとの間には隙間が形成されているので、この隙間を通して内容物を引込むことができる。このため、焼結多孔質体のような間隙のサイズが小さいものを採用する場合でも、サックバック機能を十分に発揮させることができる。
【００３５】
また、内容液を泡状にして注出させるには、図４に示すようにノズルヘッド本体１１を上方に移動させる。上述したように、ベース７の縦溝７ｉにはノズルヘッド本体１１の縦リブ１１ｄが入り込んでいるため、ベース７に対してノズルヘッド本体１１を回り止めすることができる。なお、縦溝７ｉをノズルヘッド本体１１に設け、縦リブ１１ｄをベース７に設けてもよい。またベース７の凹所７ｈにはノズルヘッド本体１１の突起１１ｃが入り込んでいるため、ベース７に対してノズルヘッド本体１１を抜け止めすることができる。
【００３６】
この状態においては、摺動筒部１０ａは隔壁４ａの上面から離れるため、外層体２の胴部を押圧して内部空間の圧力が高まると、隔壁４ａの上面に当接していた弁体６ｂが、図５に示すように隔壁４ａから離反する。これによって内部空間の空気が、離反した弁体６ｂと隔壁４ａとの間の隙間を通り、空気導入口１１ｆを介して発泡体１２に至るため、液導入口１０ｅから発泡体１２に流入する内容液と混合して内容液が発泡し、泡状の内容液が注出ノズル１１ｈから注出される。
【００３７】
次に、本発明に従う二重容器の他の実施形態について、図６、図７を参照しながら説明する。なお、上述した実施形態と同様の機能を有する部位は、図面に同一の符号を付して説明を省略する。
【００３８】
本実施形態の空気用逆止弁３６は、先に述べた実施形態の空気用逆止弁６の環状壁６ａよりも背が高い環状壁３６ａを有している。また環状壁３６ａの外面には、円板状となる薄肉の外側弁体３６ｂを一体に連結している。外側弁体３６ｂは、天壁７ｃの下面に対して気密に当接していて、通常は外気導入口７ｅを閉鎖しているが、内部空間が負圧状態になると天壁７ｃから離反して外気導入口７ｅを開放する。なお、外側弁体３６ｂを設けることにより、先に述べた球状の外気導入用逆止弁８は省略している。
【００３９】
ベース３７は、先に述べたベース７に対し、凹所７ｈ及び縦溝７ｉに代えて雄ねじ部３７ａを備えている。またノズルヘッド本体４１は、先に述べたノズルヘッド本体１１に対し、突起１１ｃ及び縦リブ１１ｄに代えて雄ねじ部３７ａに連係する雌ねじ部４１ａを備えている。また発泡体４２は円柱状をなしていて、凹部１０ｄに対し不動に設けられている。なお、サックバック機能を妨げないようにするため、発泡体４２には、内部に存在する間隙のサイズが比較的大きなものを採用している。
【００４０】
本実施形態の二重容器は、図６に示すようにノズルヘッド本体４１が下方に向けて移動した状態では、弁体６ｂは、隔壁４ａの上面と摺動筒部１０ａの下面との間で挟持されるため、外層体２の胴部を押圧すると、内容液のみが注出ノズル１１ｈから注出される。また雄ねじ部３７ａと雌ねじ部４１ａとの連係が緩む向きにノズルヘッド本体４１を回転させると、ノズルヘッド本体４１が上昇して、摺動筒部１０ａを隔壁４ａの上面から離すことができる。この状態において外層体２の胴部を押圧すると、内部空間の圧力上昇に伴って弁体６ｂが隔壁４ａの上面から離反し、発泡体４２に空気を導入することができるので、泡状の内容液を注出させることができる。
【００４１】
本発明に従う二重容器は、これらの実施形態に限定されるものではなく、特許請求の範囲に従う範囲で種々の変更が可能である。例えば、ノズルヘッド本体に対してヒンジで一体に連結した蓋体に代えてノズルヘッド本体とは別体になる蓋体を採用し、ねじやアンダーカットでノズルヘッド本体に装着するようにしてもよい。また、上述した通気口に加え、内部空間に空気を取り込むための他の通気口を、外層体の胴部や底部に設けてもよい。なおこの場合は、外層体を押圧した際に内部空間の空気が他の通気口から漏れ出さない、或いは漏れ出しが抑制される手段（例えば逆止弁や、スリット状の通気口）を設けることが好ましい。
【符号の説明】
【００４２】
１：内層体
１ａ：上部開口
２：外層体
２ａ：口部周壁
２ｂ：雄ねじ部
２ｃ：通気口
２ｄ：溝部
３：注出キャップ
４：中栓
４ａ：隔壁
４ｂ：注出筒部
４ｃ：縮径部
４ｄ：シール壁
４ｅ：凹部
４ｆ：溝部
４ｇ：縁壁
４ｈ：貫通孔
５：移動弁体
６：空気用逆止弁
６ａ：環状壁
６ｂ：弁体
７：ベース
７ａ：外周壁
７ｂ：雌ねじ部
７ｃ：天壁
７ｄ：内部周壁
７ｅ：外気導入口
７ｆ：ガイド壁
７ｈ：凹所
７ｉ：縦溝
８：外気導入用逆止弁
９：ノズルヘッド
１０：ホルダー
１０ａ：摺動筒部
１０ｂ：区画壁
１０ｃ：ストッパー
１０ｄ：凹部
１０ｅ：液導入口
１１：ノズルヘッド本体
１１ａ：周壁
１１ｂ：上壁
１１ｃ：突起
１１ｄ：縦リブ
１１ｅ：筒状壁
１１ｆ：空気導入口
１１ｇ：連通孔
１１ｈ：注出ノズル
１１ｉ：突起
１２：発泡体
１３：蓋体
１３ａ：頂壁
１３ｂ：外周壁
１３ｃ：ヒンジ
１３ｄ：指掛け部
３６：空気用逆止弁
３６ａ：環状壁
３６ｂ：外側弁体
３７：ベース
３７ａ：雄ねじ部
４１：ノズルヘッド本体
４１ａ：雌ねじ部
４２：発泡体
Ｏ：口部周壁の軸線（注出筒部の軸線）
Ｓ：収容空間
Ｔ：空気路
【図１】
0006328066.tif 000002
【図２】
0006328066.tif 000003
【図３】
0006328066.tif 000004
【図４】
0006328066.tif 000005
【図５】
0006328066.tif 000006
【図６】
0006328066.tif 000007
【図７】
0006328066.tif 000008